(57)【要約】【課題】従来における理美容椅子にあっては、椅子の前方に設置された水回り機器や壁面が近接している場合において、椅子が鏡に対向した前方に向いている状態では、水回り機器や壁面との間隔を十分にとっていない設計の場合には背凭れに連動して変位する前垂れを起伏させることができず、従って、前垂れが作動しない椅子を使用するか、あるいは、前方の水回り機器や壁面に干渉しないように椅子を回転した状態で背凭れを伏倒させて前垂れを伏倒するしかなかった。【解決手段】背凭れ２ｂに一端が連結された押し出しリンク１０，１７の他端を前垂れ３の起伏リンク６〜９に連結することで前垂れが背凭れの起伏に連動して起伏するようにした理美容用椅子において、前記押し出しリンクの長さを可変することで前垂れの伏倒方向の角度が変化して、前垂れの先端側の突出量を調整するようにした理美容用椅子である。【選択図】　　　　図１
2004049396.tif 000002
【特許請求の範囲】
【請求項１】
背凭れに一端が連結された押し出しリンクの他端を前垂れの起伏リンクに連結することで前垂れが背凭れの起伏に連動して起伏するようにした理美容用椅子において、前記押し出しリンクの長さを可変することで前垂れの伏倒方向の角度が変化して、前垂れの先端側の突出量を調整するようにしたことを特徴とする理美容用椅子。
【請求項２】
前記押し出しリンクの長さ調整として、筒状リンクと該筒状リンク内を移動可能としたスライド杆とより構成し、かつ、押し出しリンクに形成した長手方向に沿って形成した複数個の孔に対して選択的にピンを差し込み、該ピンに対してスライド杆の後端を当接させることにより押し出しリンクとしての長さを異ならしめたことを特徴とする請求項１記載の理美容用椅子。
【請求項３】
前記押し出しリンクが前垂れを伏倒させる方向に移動した場合に、該移動初期においては前垂れを伏倒方向に回動させ、その後、前垂れを前方に向かって移動させるリンク機構に押し出しリンクの先端を接続したことを特徴とする請求項１記載の理美容用椅子。
【請求項４】
前記スライド杆の前記ピンと当接する部分にネジを螺合してスライド杆としての長さを調整できるようにしたことを特徴とする請求項２記載の理美容用椅子。
【請求項５】
前記押し出しリンクをネジ棒と、該ネジ棒のネジと螺合されるネジ管と、該ネジ管に対して回転自在な軸棒とより構成し、前記ネジ管を回転することによりネジ棒と軸棒の間隔が接近、離開することで長さ調整が行えるようにしたことを特徴とする請求項１記載の理美容用椅子。
【請求項６】
前記押し出しリンクをネジ棒と、前記ネジ棒のネジとは逆ネジが形成されたネジ棒と、前記２つのネジ棒のネジが対向した位置において螺合されるネジ管とより構成し、前記ネジ管を回転することにより２つのネジ棒の間隔が接近、離開することで長さ調整が行えるようにしたことを特徴とする請求項１記載の理美容用椅子。
【発明の詳細な説明】
【０００１】
【発明の属する技術分野】
本発明は、背凭れが起伏するのに連動して起伏する前垂れにおいて、該前垂れが前記背凭れの起伏角度とは異なる作動角度に調整することが可能な理美容用椅子の改良に関する。
【０００２】
【従来の技術】
従来における背凭れに連動して前垂れが起伏するように構成した理美容椅子にあっては、油圧シリンダ等の駆動源によって背凭れの起伏を制御し、該背凭れと前垂れとをリンク機構を介して連結し、前記油圧シリンダによって背凭れが起伏した時に前垂れをリンク機構を介して起伏させるものであり、前垂れのみの起伏角度を変更できるような構造のものはなかった。
【０００３】
【発明が解決しようとする課題】
ところで、前記した従来における理美容椅子にあっては、椅子の前方に設置された水回り機器（洗髪ボール等）や壁面が近接している場合において、椅子が鏡に対向した前方に向いている状態では、水回り機器や壁面との間隔を十分にとっていない設計の場合には背凭れに連動して変位する前垂れを起伏させることができず、従って、前垂れが作動しない椅子を使用するか、あるいは、前方の水回り機器や壁面に干渉しないように椅子を回転した状態で背凭れを伏倒させて前垂れを伏倒するしかなかった。
【０００４】
また、椅子の設置当初には何らの問題も発生しないように設計したとしても、改装等の周辺環境に変更が生じた場合にも、前記したと同様に前垂れが作動しない椅子に変更するか、椅子を回転した状態で前垂れを伏倒しなければならいといった問題があった。
【０００５】
本発明は前記した問題点を解決せんとするもので、その目的とするところは、簡単な構造および操作によって背凭れに連動して伏倒する前垂れの動作角度を自由に変更できるので、椅子の設置状態や周辺環境に応じた使用ができる理美容用椅子を提供せんとするにある。
【０００６】
【課題を解決するための手段】
以下、本発明の理美容用椅子は前記した目的を達成せんとするもので、請求項１の手段は、背凭れに一端が連結された押し出しリンクの他端を前垂れの起伏リンクに連結することで前垂れが背凭れの起伏に連動して起伏するようにした理美容用椅子において、前記押し出しリンクの長さを可変することで前垂れの伏倒方向の角度が変化して、前垂れの先端側の突出量を調整するようにしたものである。
【０００７】
請求項２の手段は、前記請求項１の手段において、前記押し出しリンクの長さ調整として、筒状リンクと該筒状リンク内を移動可能としたスライド杆とより構成し、かつ、押し出しリンクに形成した長手方向に沿って形成した複数個の孔に対して選択的にピンを差し込み、該ピンに対してスライド杆の後端を当接させることにより押し出しリンクとしての長さを異ならしめたものである。
【０００８】
請求項３の手段は、前記請求項１の手段において、前記押し出しリンクが前垂れを伏倒させる方向に移動した場合に、該移動初期においては前垂れを伏倒方向に回動させ、その後、前垂れを前方に向かって移動させるリンク機構に押し出しリンクの先端を接続したものである。
【０００９】
請求項４の手段は、前記請求項２の手段において、前記スライド杆の前記ピンと当接する部分にネジを螺合してスライド杆としての長さを調整できるようにしたものである。
【００１０】
請求項５の手段は、前記請求項１の手段において、前記押し出しリンクをネジ棒と、該ネジ棒のネジと螺合されるネジ管と、該ネジ管に対して回転自在な軸棒とより構成し、前記ネジ管を回転することによりネジ棒と軸棒の間隔が接近、離開することで長さ調整が行えるようにしたものである。
【００１１】
請求項６の手段は、前記請求項１の手段において、前記押し出しリンクをネジ棒と、前記ネジ棒のネジとは逆ネジが形成されたネジ棒と、前記２つのネジ棒のネジが対向した位置において螺合されるネジ管とより構成し、前記ネジ管を回転することにより２つのネジ棒の間隔が接近、離開することで長さ調整が行えるようにしたものである。
【００１２】
【発明の実施の形態】
以下、本発明に係る理美容用椅子の一実施の形態を図面と共に説明する。
図１〜図６は第１の実施の形態を示し、１は床面の上に載置された基台にして、座部を昇降するための昇降用油圧ユニットや制御回路が収納されている。２は座部２ａが前記油圧ユニットに取付けられた椅子本体にして、座部２ａの後方には背凭れ２ｂが回動自在に取付けられている。
【００１３】
また、椅子本体２には肘掛け２ｃが取付けられると共に、この肘掛け２ｃには座部２ａを上下動操作および背凭れ２ｂの起伏操作を制御するための操作スイッチ２ｄ１　が取付けられている支持杆２ｄが形成され、さらに、座部２ａの前方には足載せ台２ｅが取付けられている。３は後に詳述するリンク機構によって起伏する前垂れにして、背凭れ２ｂが起立状態にある時は、前記足載せ台２ｅの垂直部２ｅ１　と略平行となり、また、背凭れ２ｂが伏倒すると前記垂直部２ｅ１　より離れて水平方向に変位する。
【００１４】
４は前記昇降用油圧ユニットに直接固定される座部基板にして、該座部基板４に前記座部２ａが取付けられている。この座部基板４から垂下されている油圧ユニット取付金具４ａには油圧ユニット５のシリンダ側が軸支され、該油圧ユニット５のピストン側は背凭れ２ｂから垂下された突起２ｂ１　に貫通した軸に軸支されている。
【００１５】
６は前記座部基板４の先端側に基端側６ａが軸支されたアーチ形状をしたガイド金具にして、先端側のガイドレール６ｂは前垂れ３の裏面における上下方向に沿って取付けられている。７は基端側が座部基板４の先端から垂下された突起４ｂに軸支された連結リンクにして、先端側は前記ガイドレール６ｂに案内されて移動する案内板８に一端が軸支されたアーム９の他端に軸支されている。
【００１６】
前記連結リンク７の略中間には長手方向に沿って穿設された案内長孔７ａが形成され、この案内長孔７ａには後述する押し出しリンク１０のスライド杆１０ｂの先端に形成された突起１０ｃが、前記ガイド金具６の略中央部を貫通して案内されている。
【００１７】
１０は断面四角形状の筒状リンク１０ａと、該筒状リンク１０ａ内を摺動するスライド杆１０ｂとからなる押し出しリンクにして、筒状リンク１０ａの一端は背凭れ２ｂから垂下された突起２ｂ２　に軸支されている。また、筒状リンク１０ａの前記軸支側には長手方向に沿って複数個（図示にあっては３個）の孔１０ａ１　が形成され、該孔１０ａ１　には選択的にピン１０ｄを抜き差し可能に形成されている。
【００１８】
１１は座部基板４から垂下された垂下片４ｃに取付けられたポテンショメータにして、該ポテンショメータ１１の回転軸と前記突起２ｂ２　との間に２段リンク１２の先端が取付けられている。従って、背凭れ２ｂの起伏に伴って突起２ｂ２　が変位すると、２段リンク１２を介してポテンショメータ１１の回転軸が回転されるので、背凭れ２ｂの起伏角度に応じて抵抗値が変化することから、この抵抗値変化を検出することで、背凭れ２ｂの起伏角度を検出することができる。
【００１９】
１３は前記背凭れ２ｂにおける突起２ｂ２　に軸支された連結板１４と座部基板４に取付けられたピン４ｄとの間に張設された背凭れ復帰用スプリング、１５は前記押し出しリンク１０のスライド杆１０ｂに形成された軸１０ｂ１　と前記連結板１４との間に張設された前垂れ復帰用スプリングにして、背凭れ２ｂの伏倒方向と前垂れの起立方向への移動時に前記スプリング１３，１５が作用するものである。なお、前記スプリング１３，１５は図面を簡略化するために図１にのみ示している。
【００２０】
次に、前記した構成に基づいて動作を説明するに、図１は初期状態である背凭れ２ｂおよび前垂れ３が起立状態となっており、かつ、座部２ａは最下降位置にある。この状態において、被施術者を着座させ施術を行うことになるが、髭剃り等で被施術者を寝かせる状態、すなわち、背凭れ２ｂと前垂れ３を伏倒させる状態に移行するにあたり、前垂れ３の前面側の水回り機器や壁との間隔が十分にあるか否かによって、押し出しリンク１０の長さを予め設定しておく必要がある。
【００２１】
この押し出しリンク１０の長さを変えることにより、後に詳述するように前垂れ３の伏倒角度が変化するので、前垂れ３の前方への突出量が変化し、従って、前垂れ３と水回り機器や壁面との間隔の長さに適合させることができる。
【００２２】
先ず、図３に示す前垂れ３と水回り機器や壁面との間隔が十分にあり、前垂れ３を座部２ａと略水平状態まで伏倒できる場合について説明する。
この場合には、押し出しリンク１０における筒状リンク１０ａにおける先端側の孔１０ａ１　（前垂れ３に近い方）にピン１０ｄを差し込む。これにより、筒状リンク１０ａに嵌挿されるスライド杆１０ｂの筒状リンク１０ａからの突出量が長くなるので、押し出しリンク１０としての長さは最大の長さとなる。
【００２３】
このように設定した椅子において、油圧ユニット５内の油を排出すると、スプリング１３のバネ力および背凭れの自重、さらに、スライド杆１０ｂがピン１０ｄに当接するまではスプリング１５のバネ力によって該油圧ユニット５におけるピストンが収縮して、背凭れ２ｂが半時計方向に回動される。この背凭れ２ｂの半時計方向の回動に伴って突起２ｂ２　が押し出しリンク１０を右方向に移動させるので、該押し出しリンク１０におけるスライド杆１０ｂの先端に軸支された突起１０ｃを介してガイド金具６に対して回動力が作用するので、該ガイド金具６は軸６ａを支点として半時計方向に回動させ前垂れ３を水平方向に回動させる。
【００２４】
そして、押し出しリンク１０の突起１０ｃが連結リンク７の長孔７ａ内を移動して、該長孔７ａの先端に当接すると、連結リンク７は半時計方向に回動されるので、アーム９が右方向に移動して案内板８をガイドレール６ｂに沿って前垂れ３の下端方向に向かって移動させる。これにより、前垂れ３は前方に移動しながら水平方向に回動される。
【００２５】
また、背凭れ２ｂの突起２ｂ２　が回動されると２段リンク１２を介してポテンショメータ１１が回動されるので、該ポテンショメータ１１の抵抗値変化を図示しない制御回路が検出することで、予め設定した値にポテンショメータ１１の抵抗値が達すると油圧ユニット５への制御が停止されるので、背凭れ２ｂおよび前垂れ３の伏倒は停止する。そして、この状態において、前垂れ３は座部２ａと略面一状態となり先端が最も突出した状態となるものである。
【００２６】
前記した背凭れ２ｂおよび前垂れ３の伏倒状態から起立状態に変位させるには、油圧ユニット５に対して油を供給すると、スプリング１３のバネ力および背凭れの自重、さらに、案内板８が足載せ台２ｅの垂直部２ｅ１　に当接し、スライド杆１０ｂがピン１０ｄより離れた際にはスプリング１５に抗して背凭れ２ｂが起立方向に回動される。また、押し出しリンク１０の筒状リンク１０ａが背凭れ２ｂの起立方向への回動に伴って右方向に移動するので、スライド杆１０ｂはスプリング１５のバネ力によって筒状リンク１０ａ内に移動し、従って、前記した動作とは逆の動作によって前垂れ３は起立方向に変位し、最終的にはポテンショメータ１１よりの出力を検出した制御回路からの油圧ユニット５に対する油の供給が停止されることで、図１の位置（初期位置）まで戻って停止するものである。
【００２７】
なお、前記した初期位置への復帰途中において前垂れ３の背面側に異物が存在したりする等によって、前垂れ３に対して起立方向とは逆の外力が加わった場合には、前垂れ３の起立方向への戻り力はスプリング１５のバネ力のみであることから、すなわち、スライド杆１０ｂは筒状リンク１０ａ内で移動可能であることから、前記外力が加わった位置において前垂れ３は停止することとなる。
【００２８】
前記した動作説明は前垂れ３と水回り機器や壁面との間隔が十分にある場合の説明であるが、前記間隔がそれほど無い場合には、図４に示すようにピン１０ｄを筒状リンク１０ａの中間に孔１０ａ１　に差し込むことにより、押し出しリンク１０としての長さが短くなるので、前垂れ３の伏倒角度は前記した図３の位置よりも小さくなり、従って、前垂れ３の突出量が小さくなって水回り機器や壁面等に当接することがなくなるものである。
【００２９】
さらに、図５は前垂れ３と水回り機器や壁面との間隔が狭い場合を示したものであり、ピン１０ｄを筒状リンク１０ａの後端側の孔１０ａ１　に差し込んで押し出しリンク１０としての長さをさらに短くしたものであり、また、図６は図５よりも前垂れ３と水回り機器や壁面との間隔がさらに狭い場合を示したもので、ピン１０ｄを差し込まずにスライド杆１０ｂを筒状リンク１０ａの最奥端まで位置させて、より押し出しリンク１０としての長さを短くしたものであり、その動作は前記した図３の動作と同じなので説明は省略する。
【００３０】
そして、前記したように押し出しリンク１０の長さを短くすることで、それぞれの図（図４、図５、図６）に示すように前垂れ３の伏倒角度はより小さな角度となって前垂れ３の先端と水回り機器や壁面との間隔を広くとることができるようになる。
【００３１】
前記した実施の形態にあっては、押し出しリンク１０における筒状リンク１０ａに形成した孔１０ａ１　の位置によって、押し出しリンク１０の長さが決定されてしまうものであるが、より長さの微調整を行いたい場合には、図７に示すようにスライド杆１０ｂの筒状リンク１０ａ内に入っている先端にネジ１６を螺合し、該ネジ１６の突出量を変えることでスライド杆１０ｂの長さが変わるので、前垂れ３の伏倒角度を自由に調整することができる。なお、動作説明は前記した図３の動作と同じなので説明は省略する。
【００３２】
前記した何れの実施の形態も押し出しリンク１０を筒状リンク１０ａに対してスライド杆１０ｂを抜き差し自在とし、前垂れ３の起立方向への戻り時において外力が加わった時に前垂れ３の伏倒方向への回動が行えず、これにより、異物等を破損したりすることがないようにしたものであるが、このような外力が加わることは滅多にあることではないので、押し出しリンク１０として長さ調整は可能であるが、前垂れ３の起立方向への戻り時には一体化されたものであってもよい。
【００３３】
図８、図９はこのような実施の形態を示したものであり、図８は前実施の形態における押し出しリンク１０における筒状リンク１０ａをネジ棒１７ａとし、スライド杆１０ｂを軸棒１７ｂとなし、該軸棒１７ｂに対して回転自在なネジ管１７ｃのネジ孔１７ｃ１　に前記ネジ棒１７ａのネジ１７ａ１　を螺合したものである。このような構成とすることで、ネジ管１７ｃを回転しネジ１７ａ１　がネジ管１７ｃ内に入り込むようにすれば押し出しリンク１７として長くなり、また、逆にネジ１７ａ１　がネジ管１７ｃより突出するようにすれば押し出しリンク１７として長くなるものである。しかも、この構造のものにあっては、無段階的に押し出しリンク１７の長さを調整することができる。
【００３４】
また、図９の実施の形態は、前記図８の実施の形態における軸棒１７ｂもネジ棒１７ｄにすると共にネジ棒１７ａとはネジの向きを逆方向としたものである。そして、各ネジ棒１７ａ，１７ｄのそれぞれのネジ１７ａ１　，１７ｄ１　に両側にネジ１７ｅ１　，１７ｅ２　が形成されたネジ管１７ｅを螺合したものである。このような構成とすることで、ネジ管１７ｅを回転することで、押し出しリンク１７としての長さが変化すると共に、無段階的に長さ調整を行うことができる。
【００３５】
なお、前記した押し出しリンクの長さを変化させる構造としては、前記した実施の形態に限定されるものではなく、長さ調整を行える構造のものであれば、本発明の押し出しリンクに採用できることは勿論のことである。
【００３６】
【発明の効果】
本発明は前記したように、背凭れに一端が連結された押し出しリンクの他端を前垂れの起伏リンクに連結することで前垂れが背凭れの起伏に連動して起伏するようにした理美容用椅子において、前記押し出しリンクの長さを可変することで前垂れの伏倒方向の角度が変化して、前垂れの先端側の突出量を調整するようにしたので、椅子の設置状態や周辺環境に応じた使用ができ、すなわち、前方に配置されている水回り機器や壁面と椅子との間隔が狭くとも設置が可能となり、従って、従来のような店舗の改装等によって改装前に使用していた椅子が使用不能になるようなことがない等の効果を有するものである。
【図面の簡単な説明】
【図１】本発明に係る理美容用椅子の初期状態を示す側面図である。
【図２】同上の要部の底面図である。
【図３】前垂れの伏倒角度が最も大きな状態の伏倒状態を示す側面図である。
【図４】前垂れの伏倒角度が図３よりも小さくなった状態の伏倒状態を示す側面図である。
【図５】前垂れの伏倒角度が図４よりも小さくなった状態の伏倒状態を示す側面図である。
【図６】前垂れの伏倒角度が最も小さくなった状態の伏倒状態を示す側面図である。
【図７】図３の状態において微調整が行えるようにした伏倒状態を示す側面図である。
【図８】ネジ棒を使用した場合の押し出しリンクの断面図である。
【図９】他の実施の形態のネジ棒を使用した場合の押し出しリンクの断面図である。
【符号の説明】
２　　　　　椅子本体
２ａ　　　　座部
２ｂ　　　　背凭れ
３　　　　　前垂れ
４　　　　　座部基板
５　　　　　油圧ユニット
６　　　　　ガイド金具
７　　　　　連結リンク
８　　　　　案内板
９　　　　　アーム
１０　　　　押し出しリンク
１０ａ　　　筒状リンク
１０ａ１　　　孔
１０ｂ　　　スライド杆
１０ｄ　　　ピン
１３，１５　スプリング
１６　　　　ネジ
１７　　　　押し出しリンク
１７ａ　　　ネジ棒
１７ｂ　　　軸棒
１７ｃ　　　ネジ管
１７ｄ　　　ネジ棒
１７ｅ　　　ネジ管
【図１】
2004049396.tif 000003
【図２】
2004049396.tif 000004
【図３】
2004049396.tif 000005
【図４】
2004049396.tif 000006
【図５】
2004049396.tif 000007
【図６】
2004049396.tif 000008
【図７】
2004049396.tif 000009
【図８】
2004049396.tif 000010
【図９】
2004049396.tif 000011